(57)【特許請求の範囲】
【請求項１】
ミキサの側壁に洗浄ノズル進退用のノズル進退口を穿設し、ミキサ外側にノズル進退口開閉用の外蓋を回動自在に備え、該外蓋とシリンダのピストンロッド先端とをリンク結合して外蓋を開閉自在とし、外蓋にはミキサ内部に向けて洗浄ノズルを配設すると共に、ミキサ内部に外蓋と連結アームにて連結したノズル進退口開閉用の内蓋を備え、洗浄ノズルのミキサ外後退時には内蓋によってノズル進退口を閉鎖する一方、洗浄ノズルのミキサ内進入時には前記外蓋によってノズル進退口を閉鎖するように構成したことを特徴とするコンクリートミキサの洗浄装置。
【請求項２】
前記洗浄ノズルのミキサ外後退位置の下位には洗浄ノズルからの水滴を受け止める樋を備えたことを特徴とする請求項１記載のコンクリートミキサの洗浄装置。
【発明の詳細な説明】
【０００１】
【発明の属する技術分野】
本発明は、生コンクリート製造用プラントに搭載されるコンクリートミキサの内部を洗浄する洗浄装置に関する。
【０００２】
【従来の技術】
コンクリートミキサ内の洗浄は、高圧水をジェットノズルから噴射させて混練軸や壁面に付着する生コンクリートを洗い流す方法が広く採用されている。そして、従来のミキサ洗浄装置としては、図４のような構造のものがある。この洗浄装置の構造は、ミキサ１０１の側壁に洗浄ノズル進退用のノズル進退口１０２を穿設し、該ノズル進退口１０２に蓋体１０３を回動自在に備えて第１のシリンダ１０４にて任意に開閉できるようにしている。また、ミキサ１０１外側のノズル進退口１０２位置には第２のシリンダ１０５を水平方向に配設すると共に、該シリンダ１０５のピストンロッド１０６先端部に洗浄ノズル１０７を備え、ピストンロッド１０６の伸縮動作により洗浄ノズル１０７をノズル進退口１０２からミキサ内外へ進退自在としている。そして、ミキサ内へ進入した洗浄ノズル１０７に高圧水を供給すると、ノズル部分を回転させながら洗浄水を噴射してミキサ内部の隅々まで洗浄できるようにしている。
【０００３】
【発明が解決しようとする課題】
しかしながら、上記洗浄装置では蓋体１０３開閉用と、洗浄ノズル１０７進退用の二つのシリンダ１０４、１０５を使用しているため、装置構造が複雑となると共に、コスト高となっている。また、洗浄ノズル１０７を動作させる第２のシリンダ１０５は洗浄ノズル１０７をミキサ内に進入させるだけの長さのものが必要で、ストロークの長い特殊なシリンダを使用するため、高価であり、かつ故障時には汎用のシリンダのようにすぐには入手できないのでメンテナンス面で問題がある。更に、第２のシリンダ１０５は、ミキサ側方に水平方向に長く突出しているために、洗浄装置をミキサに追加設置する際にはスペース面で無理がある場合もある。
【０００４】
本発明は上記の点に鑑み、装置構造をシンプルにして低コスト化と省スペース化を図ったミキサ洗浄装置を提供することを課題とする。
【０００５】
【課題を解決するための手段】
本発明は上記の課題を解決するために、請求項１記載のコンクリートミキサの洗浄装置は、ミキサの側壁に洗浄ノズル進退用のノズル進退口を穿設し、ミキサ外側にノズル進退口開閉用の外蓋を回動自在に備え、該外蓋とシリンダのピストンロッド先端とをリンク結合して外蓋を開閉自在とし、外蓋にはミキサ内部に向けて洗浄ノズルを配設すると共に、ミキサ内部に外蓋と連結アームにて連結したノズル進退口開閉用の内蓋を備え、洗浄ノズルのミキサ外後退時には内蓋によってノズル進退口を閉鎖する一方、洗浄ノズルのミキサ内進入時には前記外蓋によってノズル進退口を閉鎖するように構成したことを特徴としている。
【０００６】
また、請求項２記載のコンクリートミキサの洗浄装置は、前記洗浄ノズルのミキサ外後退位置の下位には洗浄ノズルからの水滴を受け止める樋を備えたことを特徴としている。
【０００７】
【発明の実施の形態】
本発明の請求項１記載のコンクリートミキサの洗浄装置によれば、生コンクリート製造時には、洗浄ノズルは外蓋と共にミキサ外方へと後退していると共に、ノズル進退口は内蓋にて閉鎖されており、洗浄ノズルに生コンクリートが付着しないようになっている。一方、ミキサ洗浄時には、シリンダのピストンロッドを伸縮調整し、リンク結合している外蓋をミキサ内側方向へと回動させ、洗浄ノズルをミキサ内部へ臨ませると共に、ノズル進退口を内蓋に代わって外蓋にて閉鎖する。そして、洗浄ノズルより洗浄水を噴射し、混練軸や側壁内面に付着した生コンクリートを洗い流す。このとき、ノズル進退口は外蓋にて閉鎖されているために洗浄水をミキサ外部へ噴出する恐れはない。そして、再度生コンクリートを製造する時には、再びシリンダのピストンロッドを伸縮調整して外蓋をミキサ外側方向へと回動させ、洗浄ノズルをミキサ外方へと退避させると共に、ノズル進退口を内蓋にて閉鎖する。
【０００８】
このように、一つのシリンダのみで洗浄ノズルのミキサ内への進退操作と、外蓋と内蓋によるノズル進退口の閉塞切り替え操作を行うことができる。
【０００９】
また、請求項２記載のコンクリートミキサの洗浄装置によれば、ミキサ外部へ後退させた洗浄ノズルから滴り落ちる水滴を樋で受け止めた後、ミキサ下位のコンクリートホッパなどへと投入して処理する。これによってミキサ周囲を洗浄水で濡らしてしまうようなことはなくなる。
【００１０】
【実施例】
以下、本発明の実施例を図面に基づいて説明する。
【００１１】
図中の１は生コンクリート製造用プラントに搭載されるミキサであって、二本の平行な混練軸２を混練槽３に貫通して相反する方向に回転自在に軸止している。前記混練軸２には軸線に沿って螺旋状に多数のアーム４を突設しており、各アーム４の先端には各種材料を混練する混練羽根５を取り付けている。
【００１２】
６はミキサ１内壁や、混練軸２、或いは混練羽根５などの表面に付着する生コンクリートに向けて洗浄水を噴射して剥離するための洗浄ノズルであって、洗浄水供給管７より供給される洗浄水の水圧によってノズル本体８を混練軸２の回転方向と平行に回転させると共に、ノズルヘッド９をノズル本体８に対して直交方向に回転させるノズルを採用しており、別途駆動力を要することなく洗浄水を四方八方へ噴射してミキサ１内部を隅々まで洗浄することができるようにしている。
【００１３】
１０はミキサ１の側壁１１に穿設した洗浄ノズル６進退用のノズル進退口であって、洗浄ノズル６が十分通過できる程度の大きさを有している。１２はノズル進退口９を開放・閉鎖する外蓋であり、該外蓋１２の支持片１３を軸受１４に軸支した軸体１５に取り付けている。そして、外蓋１２近傍にはシリンダ１６を略垂直方向に配設し、該ピストンロッド１７先端と前記軸体１５とをリンク材１８にてリンク結合しており、ピストンロッド１７の伸縮に応じて外蓋１２を開閉するようにしている。このように、シリンダ１６と外蓋１２とをリンク材１８にてリンク結合することにより、シリンダ１６のストロークが短いものを採用でき、また、略垂直方向に配設することも可能となり、従来のようにストロークの長いシリンダを水平配置するのと比較して大幅に省スペース化を図ることもできる。
【００１４】
そして、外蓋１２のミキサ側には洗浄ノズル６を配設しており、図２に示すように、外蓋１２閉鎖時には洗浄ノズル６がミキサ１内部へ臨むように、また外蓋１２開放時には洗浄ノズル６がミキサ１外方へと退避するように構成している。
【００１５】
１９は前記外蓋１２と同様にノズル進退口１０を開放、閉鎖する内蓋であって、ミキサ１内部に外蓋１２と略直交方向へ配置しており、外蓋１２とノズル進退口１０を挿通させた連結アーム２０にて連結している。したがって、外蓋１２によるノズル進退口１０の開放・閉塞動作に連動して内蓋１９によるノズル進退口１０の閉塞・開放動作が行われる。なお、本実施例においては、内蓋１９を外蓋１０に対して略直交方向へ配置したが、別段この角度に限定する必要はない。
【００１６】
また、シリンダ１６や外蓋１２の周囲を枠体２１にて包囲しており、枠体２１にカバーを適宜するなどして駆動中のシリンダ１６や外蓋１２に対する作業員の安全を図る。また、枠体２１の下端部には樋２２を備え、洗浄後の洗浄ノズル８をミキサ１外方へ後退させたときに滴り落ちる水滴を受け止め、排水口２３よりホース２４を介してミキサ１下位のコンクリートホッパへと流し込み、ミキサ周囲を洗浄水で濡らさないようにしている。
【００１７】
しかして、本発明のコンクリートミキサの洗浄装置によれば、生コンクリート製造時には、図２の二点鎖線にて示すように、洗浄ノズル８をミキサ１外方へ後退させる一方、ノズル進退口１０を内蓋１９にて閉鎖し、ミキサ１外部への粉塵等の飛散防止を行う。
【００１８】
次に、ミキサ洗浄時には、図２の実線にて示すように、ノズル進退口１０を外蓋１２を閉鎖して洗浄ノズル８をミキサ１内部へ臨ませる。このとき、内蓋１９は開放されてミキサ１内部へと逃げている。そして、洗浄水供給管７を介して洗浄ノズル８より洗浄水を噴射し、ミキサ内壁や、混練軸２、及び混練羽根５などの表面に付着した生コンクリートを洗い流す。このとき、ノズル進退口１０は外蓋１２にて閉鎖されており、洗浄水がミキサ１外部へ噴出する恐れはない。
【００１９】
そして、再度生コンクリートを製造する時には、再び洗浄ノズル８をミキサ１外方へ後退させると共に、ノズル進退口１０を内蓋１９にて閉鎖して生コンクリートの製造に備える。このとき、洗浄ノズル８からしばらくの間は洗浄水の水滴が滴り落ちるものの、それらは樋２２によって受け止められた後、排水口２３からホース２４を介してコンクリートホッパへと排出される。
【００２０】
なお、本実施例ではノズル進退口１０開閉用の外蓋１２、及び内蓋１９を別々の構成としたが、外蓋１２と内蓋１９とが一体の、例えば断面略Ｌ字形状の板体などを採用し、該板体の一方の板面に洗浄ノズル８を備えると共に、屈曲部を中心に回動させてノズル進退口１０を開放、閉鎖するようにしてもよい。
【００２１】
【発明の効果】
以上のように本発明の請求項１記載のコンクリートミキサの洗浄装置によれば、ミキサの側壁に洗浄ノズル進退用のノズル進退口を穿設し、ミキサ外側にノズル進退口開閉用の外蓋を回動自在に備え、該外蓋とシリンダのピストンロッド先端とをリンク結合して外蓋を開閉自在とし、外蓋にはミキサ内部に向けて洗浄ノズルを配設すると共に、ミキサ内部に外蓋と連結アームにて連結したノズル進退口開閉用の内蓋を備え、洗浄ノズルのミキサ外後退時には内蓋によってノズル進退口を閉鎖する一方、洗浄ノズルのミキサ内進入時には前記外蓋によってノズル進退口を閉鎖するように構成したので、一つのシリンダで洗浄ノズルのミキサ内外への進退操作と、外蓋と内蓋によるノズル進退口の閉塞切り替え操作を行うことができ、洗浄装置の構造のシンプル化と低コスト化を図れる。また、ストロークの短い汎用のシリンダを採用できてシリンダも安価になると共に、故障時にも簡単に入手可能となってメンテナンスしやすくなる。更に、洗浄装置のコンパクト化によって既存のミキサに追加設置するのも容易に行える。
【００２２】
また、請求項２記載のコンクリートミキサの洗浄装置によれば、洗浄ノズルのミキサ外後退位置の下位には洗浄ノズルからの水滴を受け止める樋を備えたので、ミキサ周囲を洗浄水で濡らしてしまうようなことはなくなる。
【図面の簡単な説明】
【図１】本発明に係るコンクリートミキサの洗浄装置を採用したミキサの一部切り欠き正面図である。
【図２】図１の要部拡大図である。
【図３】図２の側面図である。
【図４】従来例を示す図１に相当する図である。
【符号の説明】
１…コンクリートミキサ        ６…洗浄ノズル
１０…ノズル進退口            １１…側壁
１２…外蓋                    １６…シリンダ
１７…ピストンロッド          １８…リンク材
１９…内蓋                    ２０…連結アーム
２２…樋
【図１】
0004741756.tif 000002
【図２】
0004741756.tif 000003
【図３】
0004741756.tif 000004
【図４】
0004741756.tif 000005